【手続補正書】
【提出日】平成18年12月28日(2006.12.28)
【手続補正１】
【補正対象書類名】特許請求の範囲
【補正対象項目名】全文
【補正方法】変更
【補正の内容】
【特許請求の範囲】
【請求項１】
外箱内に配設した外槽の内部に、周面が略円筒形状のドラムを水平軸又は傾斜軸を中心に回転自在に配設したドラム式洗濯機において、
内部に液体が封入された環状中空体であって、その内部の外周側に放射状に設けられた隔壁によって内周側が連通した複数の区画室に画成されたバランス室を、前記ドラムの一方の端面又は両端面に装着し、ドラムの回転制御によって前記バランス室の各区画室に保持される液体を移動させることにより、遠心脱水時に回転軸周りのドラムのバランスを調整するドラム式洗濯機であって、
前記バランス室は回転軸に略直交する面で２つに分割された２つの部材を接合して形成され、該２つの部材はいずれもプラスチック製であり、両部材は熱板溶着又は振動溶着により接合されることを特徴とするドラム式洗濯機。
【請求項２】
外箱内に配設した外槽の内部に、周面が略円筒形状のドラムを水平軸又は傾斜軸を中心に回転自在に配設したドラム式洗濯機において、
内部に液体が封入された環状中空体であって、その内部の外周側に放射状に設けられた隔壁によって内周側が連通した複数の区画室に画成されたバランス室を、前記ドラムの一方の端面又は両端面に装着し、ドラムの回転制御によって前記バランス室の各区画室に保持される液体を移動させることにより、遠心脱水時に回転軸周りのドラムのバランスを調整するドラム式洗濯機であって、
前記バランス室は回転軸に略直交する面で２つに分割された２つの部材を接合して形成され、該２つの部材はいずれも強化材の付加されたプラスチック製であり、両部材は振動溶着により接合されることを特徴とするドラム式洗濯機。
【請求項３】
外箱内に配設した外槽の内部に、周面が略円筒形状のドラムを水平軸又は傾斜軸を中心に回転自在に配設したドラム式洗濯機において、
内部に液体が封入された環状中空体であって、その内部の外周側に放射状に設けられた隔壁によって内周側が連通した複数の区画室に画成されたバランス室を、前記ドラムの一方の端面又は両端面に装着し、ドラムの回転制御によって前記バランス室の各区画室に保持される液体を移動させることにより、遠心脱水時に回転軸周りのドラムのバランスを調整するドラム式洗濯機であって、
前記バランス室は回転軸に略直交する面で２つに分割された第１、第２なる２つの部材を接合して形成され、該第１及び第２部材は、ドラムへの取り付けのためにいずれも区画室を狭めるように設けたボスをそれぞれ有し、前記第１及び第２部材を接合する際に、該第１及び第２部材にそれぞれ形成されている前記ボスが異なる区画室に配置されるべく前記第１及び第２部材を回転方向にずらした状態で接合されて成ることを特徴とするドラム式洗濯機。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】
上記課題を解決するために成された請求項１に係る発明は、外箱内に配設した外槽の内部に、周面が略円筒形状のドラムを水平軸又は傾斜軸を中心に回転自在に配設したドラム式洗濯機において、
内部に液体が封入された環状中空体であって、その内部の外周側に放射状に設けられた隔壁によって内周側が連通した複数の区画室に画成されたバランス室を、前記ドラムの一方の端面又は両端面に装着し、ドラムの回転制御によって前記バランス室の各区画室に保持される液体を移動させることにより、遠心脱水時に回転軸周りのドラムのバランスを調整するドラム式洗濯機であって、
前記バランス室は回転軸に略直交する面で２つに分割された２つの部材を接合して形成され、該２つの部材はいずれもプラスチック製であり、両部材は熱板溶着又は振動溶着により接合されることを特徴としている。
【手続補正４】
【補正対象書類名】明細書
【補正対象項目名】００１１
【補正方法】変更
【補正の内容】
【００１１】
また、上記課題を解決するために成された請求項２に係る発明は、外箱内に配設した外槽の内部に、周面が略円筒形状のドラムを水平軸又は傾斜軸を中心に回転自在に配設したドラム式洗濯機において、
内部に液体が封入された環状中空体であって、その内部の外周側に放射状に設けられた隔壁によって内周側が連通した複数の区画室に画成されたバランス室を、前記ドラムの一方の端面又は両端面に装着し、ドラムの回転制御によって前記バランス室の各区画室に保持される液体を移動させることにより、遠心脱水時に回転軸周りのドラムのバランスを調整するドラム式洗濯機であって、
前記バランス室は回転軸に略直交する面で２つに分割された２つの部材を接合して形成され、該２つの部材はいずれも強化材の付加されたプラスチック製であり、両部材は振動溶着により接合されることを特徴としている。
【手続補正５】
【補正対象書類名】明細書
【補正対象項目名】００１２
【補正方法】変更
【補正の内容】
【００１２】
更にまた、上記課題を解決するために成された請求項３に係る発明は、外箱内に配設した外槽の内部に、周面が略円筒形状のドラムを水平軸又は傾斜軸を中心に回転自在に配設したドラム式洗濯機において、
内部に液体が封入された環状中空体であって、その内部の外周側に放射状に設けられた隔壁によって内周側が連通した複数の区画室に画成されたバランス室を、前記ドラムの一方の端面又は両端面に装着し、ドラムの回転制御によって前記バランス室の各区画室に保持される液体を移動させることにより、遠心脱水時に回転軸周りのドラムのバランスを調整するドラム式洗濯機であって、
前記バランス室は回転軸に略直交する面で２つに分割された第１、第２なる２つの部材を接合して形成され、該第１及び第２部材は、ドラムへの取り付けのためにいずれも区画室を狭めるように設けたボスをそれぞれ有し、前記第１及び第２部材を接合する際に、該第１及び第２部材にそれぞれ形成されている前記ボスが異なる区画室内に配置されるべく前記第１及び第２部材を回転方向にずらした状態で接合されて成ることを特徴としている。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
請求項１に係るドラム式洗濯機では、熱板溶着又は振動溶着を用いて２つのプラスチック製部材を接合すれば、回転溶着とは異なり、接合面を挟んだ両部材の位置関係について高い精度を保って溶着することができる。したがって、各区画室を隔てる隔壁が十分な強度をもって形成される。
【手続補正９】
【補正対象書類名】明細書
【補正対象項目名】００１６
【補正方法】変更
【補正の内容】
【００１６】
ドラムに取り付けられているバランス室は乾燥運転時に熱風に晒されるため耐熱性が要求される。上記請求項２に係るドラム式洗濯機の構成によれば、バランス室を構成する２つの部材の材料として強化材を付加したプラスチック、具体的には例えばガラス繊維を付加したポリプロピレン樹脂などが用いられるため、十分な耐熱性を持たせることができる。また、強化材を付加したプラスチックを用いた場合、熱板溶着も可能ではあるが、振動溶着を用いることにより接合面の強度を一段と高くすることができる。したがって、上記構成では、高い耐熱性や堅牢性を有するバランス室を得ることができ、信頼性が向上する。
【手続補正１０】
【補正対象書類名】明細書
【補正対象項目名】００１７
【補正方法】変更
【補正の内容】
【００１７】
請求項３に係るドラム式洗濯機では、区画室を狭めるように設けたボスを利用してバランス室をドラムの端面に取り付けるが、第１及び第２部材のそれぞれのボスの形成箇所が同一区画室に存在するように第１及び第２部材が接合されると、その区画室の容積が他の区画室に比べて極端に小さくなり、適切なバランス調整が行いにくくなる。上記構成によれば、第１、第２部材にそれぞれ形成されたボスの位置は複数の区画室に分散されるので、一部の区画室の容積が極端に小さくなることがなく、バランス室を用いたバランス調整を良好に行うことができる。また、第１及び第２部材は上記ボスをそれぞれ所定回転角度毎に有し、第１及び第２部材を接合する際に、ボスの形成箇所が全周でほぼ均等の角度毎に配置されるように両部材が回転方向にずらした状態で接合された構成とすると一層好ましい。これにより、ボスの形成箇所が周上で片寄らず、全周に満遍なく分散するため、バランス調整を一層良好に行うことができる。